(57)【要約】【課題】本発明の目的は、停止解除の期間中のがんぎ歯車の逆回転の加速度を抑制しアンクルに伝わるエネルギーの損失を抑制できる脱進機、ムーブメント、および時計を提供することである。【解決手段】本発明の脱進機、ムーブメント、および時計は、回転軸回りに回転可能ながんぎ歯車と、がんぎ歯車に係脱可能な入爪と、揺動軸回りに揺動し、入爪が設けられるアンクルとを有する脱進機において、入爪におけるがんぎ歯車との係合面１１１は、回転軸と揺動軸とを通る直線と係合面１１１におけるトルク伝達方向１１６とが交わる交点Ｔが、がんぎ歯車の回転角度によらず一定となる形状に形成されていることを特徴とする。【選択図】図１
2014202604.tif 000002
【特許請求の範囲】
【請求項１】
回転軸回りに回転可能ながんぎ歯車と、
前記がんぎ歯車に係脱可能な入爪と、
揺動軸回りに揺動し、前記入爪が設けられるアンクルとを有する脱進機において、
前記入爪における前記がんぎ歯車と係合する係合面は、前記回転軸と前記揺動軸とを通る直線と前記係合面におけるトルク伝達方向とが交わる交点が前記がんぎ歯車の回転角度によらず一定となる形状に形成されていることを特徴とする脱進機。
【請求項２】
前記トルク伝達方向が、前記係合面における法線から、前記係合面における前記入爪と前記がんぎ歯車との接触による生じる摩擦角だけ偏角した方向となるように、前記係合面の形状が形成されていることを特徴とする請求項１に記載の脱進機。
【請求項３】
前記トルク伝達方向が前記係合面における法線となるように前記係合面の形状が形成されていることを特徴とする請求項１に記載の脱進機。
【請求項４】
前記交点が、前記がんぎ歯車の回転角度にかかわらず、前記回転軸と前記揺動軸とを結ぶ線分内に位置するように、前記係合面の形状が形成されていることを特徴とする請求項２または請求項３に記載の脱進機。
【請求項５】
請求項１から請求項４のいずれか一項に記載の脱進機と、前記アンクルの揺動周期を調整するてんぷと、前記がんぎ歯車に動力を伝える輪列とを有するムーブメント。
【請求項６】
請求項５に記載のムーブメントと、前記脱進機と前記てんぷとを含む脱進調速機構により調速された回転速度で回転する時針とを有する時計。
【発明の詳細な説明】
【技術分野】
【０００１】
本発明は、脱進機、ムーブメント、およびそれらを有する時計に関するものである。
【背景技術】
【０００２】
従来より、がんぎ車の回転を制御しがんぎ車の回転力を受ける石（入爪、出爪）を有する脱進機は最も広く使用されており、たとえば、非特許文献１のようなスイスレバー（クラブツース）脱進機が知られている。このような従来のスイスレバー脱進機においては、以下のように、入爪ががんぎ車からの回転力を受ける構成となっている。
【０００３】
このような従来の脱進機について図１１を用いて説明する。まず、図示しないてんぷがアンクル３１０５と接触せずに振動している期間中、アンクル３１０５のサオ３１１８は図示しないどてに当たって停止しており、がんぎ歯車３１２２はがんぎ歯のロッキングコーナー３１２４がアンクルの入爪３１１０の停止面３１１１に係合して停止している。この状態を停止期間と称する。なお、がんぎ歯車３１２２は、図示しない香箱からの動力によって時計回りに付勢されている。また、がんぎ歯のロッキングコーナー３１２４と入爪の停止面３１１１との接触点における法線を引くと、これが停止期間におけるがんぎ歯３１２１から入爪３１１０に伝わる力の向きになる。アンクルの揺動軸Ｃ１と、がんぎ歯車３１２２の回転軸とを結ぶ直線を中心線Ｖとしたとき、この法線３１１５と中心線Ｖとの交点Ｔは、アンクルの揺動軸Ｃ１よりもがんぎ歯車３１２２の回転軸が配置される側の方向に離れた場所にある。これは、停止期間中もがんぎ歯車３１２２がアンクル３１０５に反時計回りの回転力を与えていることを意味している。この力の働きによって、アンクルのサオ３１１８は不図示のどての一方に押し付けられ、停止期間中に外部から衝撃が加わっても、アンクル３１０５が容易にどてから離れてしまうことを防ぎ、アンクル３１０５が不図示のてんぷの振り座と接触することによりてんぷの自由な振動が妨げられることを防いでいる。アンクルの揺動軸Ｃ１とがんぎ歯のロッキングコーナー３１２４を結ぶ線に直交する面に対して設けられる入爪の停止面３１１１の角度を引き角と言う。
【０００４】
図１１に示すような、入爪における停止期間が開始されると、てんぷは不図示の振り座の振り石がアンクル３１０５と離れ、慣性によって時計回りに回転し、その回転エネルギーはてんぷに取り付けられた不図示のひげぜんまいに蓄えられていく。回転エネルギーが全てひげぜんまいに蓄えられると、てんぷは時計回りの回転を止めて一瞬静止し、その直後に反時計回りに回転を始める。てんぷの振り座に固定された振り石は、アンクル３１０５の不図示のハコに近づいていき、やがてアンクル３１０５のハコの内周面の出爪側の面に衝突する。ハコの内周面の出爪側の面が振り石から力を受けることによって、アンクル３１０５は時計回りに回転させられる。このとき、アンクル３１０５の回転に伴って入爪３１１０も回転するため、入爪３１１０が一定角度回転することによって、がんぎ歯のロッキングコーナー３１２４は入爪のロッキングコーナー３１１２に到達する。このような、振り石がハコの内周面に衝突してからがんぎ歯のロッキングコーナー３１２４が爪石のロッキングコーナー３１１２に到達するまでの期間を停止解除と呼ぶ。入爪の停止面３１１１は平面で構成されており、また引き角が設けられているため、停止期間におけるアンクルの揺動軸Ｃ１からがんぎ歯のロッキングコーナー３１２４までの距離に対して、アンクルの揺動軸Ｃ１から入爪のロッキングコーナー３１１２までの距離の方が大きい。このため、停止解除に伴い、がんぎ歯のロッキングコーナー３１２４が停止期間における入爪停止面３１１１との係合点から入爪のロッキングコーナー３１１２に近づくのに伴って、両者の係合点はアンクルの揺動軸Ｃ１から遠ざかっていく。よって、停止解除の期間中、がんぎ歯車３１２２は付勢されている方向とは逆向きに加速しながら回転する。
【０００５】
停止解除が終了し、がんぎ歯のロッキングコーナー３１２４が入爪のロッキングコーナー３１１２と離れるとき、上述のようにがんぎ歯車３１２２は反時計回りに加速されているため、慣性で反時計回りの回転を続けようとする。一方で、がんぎ歯車３１２２は香箱の動力によってがんぎ歯３１２３が入爪の停止面３１１１に噛み合う方向に付勢されているため、がんぎ歯車３１２２の回転エネルギーはやがてゼロとなり、がんぎ歯車３１２２は一瞬静止し、その直後に逆方向（時計回り）への回転を開始する。やがて、がんぎ歯のロッキングコーナー３１２４は入爪の衝撃面３１１３に衝突する。このがんぎ歯のロッキングコーナー３１２４が入爪のロッキングコーナー３１１２と離れてから、がんぎ歯のロッキングコーナー３１２４が入爪の衝撃面３１１３に衝突するまでの期間を、ジャンプ（がんぎ歯の跳躍空転）と呼ぶ。ジャンプの期間中、アンクル３１０５は振り石からの力を受けて回転し続けているため、がんぎ歯のロッキングコーナー３１２４は入爪の衝撃面３１１３上のうち、入爪のロッキングコーナー３１１２から離れた場所に衝突する。
【０００６】
衝突の後、がんぎ歯のロッキングコーナー３１２４は入爪の衝撃面３１１３上を摺動することで、アンクル３１０５に回転力を与える。がんぎ歯３１２３によって回転力を与えられたアンクル３１０５は、ハコの内周面の入爪側の面が振り石に係合することでてんぷに回転力を与える。
【０００７】
ジャンプの間、がんぎ歯車３１２２はアンクル３１０５に回転力を与えられないため、ジャンプが大きければ大きいほど、がんぎ歯車３１２２のエネルギーはこの空転によって失われ、がんぎ車３１２１からアンクル３１０５を介しててんぷに伝えられるエネルギーは減少する。このため、てんぷの振り角も減少する。てんぷの振り角は大きいほど外部からの衝撃の影響を受けにくく、てんぷの振動の振動周期を高い精度で維持できるため、てんぷの振り角の減少は精度の低下を招く。
【先行技術文献】
【非特許文献】
【０００８】
【非特許文献１】Ｇｅｏｒｇｅ Ｄａｎｉｅｌｓ著  「Ｗａｔｃｈｍａｋｉｎｇ」Ｓｏｔｈｅｂｙ Ｐａｒｋｅ Ｂｅｒｎｅｔ Ｐｕｂｌｉｃａｔｉｏｎｓ  １９８２年  ｐ.２０６〜ｐ.２２１
【発明の概要】
【発明が解決しようとする課題】
【０００９】
本発明はかかる事情に鑑みてなされたものであり、その目的は、停止解除の期間中のがんぎ歯車の逆回転の加速度を抑制し、ジャンプの時間を低減することで、アンクルに伝わるエネルギーの損失を抑制できる脱進機、ムーブメント、および時計を提供することにある。
【課題を解決するための手段】
【００１０】
本発明における脱進機は、回転軸回りに回転可能ながんぎ歯車と、前記がんぎ歯車に係脱可能な入爪と、揺動軸回りに揺動し、前記入爪が設けられるアンクルとを有する脱進機において、前記入爪における前記がんぎ歯車との係合面は、前記回転軸と前記揺動軸とを通る直線と前記係合面におけるトルク伝達方向とが交わる交点が、前記がんぎ歯車の回転角度によらず一定となる形状に形成されていることを主要な特徴とする。
かかる構成により、停止解除の期間中、がんぎ歯車の逆回転の加速度が抑制され、ジャンプの時間が減少するため、がんぎ歯車からアンクルに伝わるエネルギーの損失を抑制することができる。
【００１１】
本発明における脱進機は、前記トルク伝達方向が前記係合面における法線となるように前記係合面の形状が形成されていることを特徴とする。
かかる構成により、がんぎ歯と入爪の係合面に摩擦がない場合において、停止解除の期間中にがんぎ歯車の逆回転の加速度が抑制され、ジャンプの時間が減少するため、がんぎ歯車からアンクルに伝わるエネルギーの損失を抑制することができる。
【００１２】
本発明における脱進機は、前記トルク伝達方向が、前記係合面における法線から、前記係合面における前記入爪と前記がんぎ歯車との接触による生じる摩擦角だけ偏角した方向となるように、前記係合面の形状が形成されていることを特徴とする。
かかる構成により、がんぎ歯と入爪の係合面に摩擦がある場合において、停止解除の期間中にがんぎ歯車の逆回転の加速度が抑制され、ジャンプの時間が減少するため、がんぎ歯車からアンクルに伝わるエネルギーの損失を抑制することができる。
【００１３】
本発明における脱進機は、前記交点が、前記がんぎ歯車、の回転角度にかかわらず、前記回転軸と前記揺動軸とを結ぶ線分内に位置するように、前記係合面の形状が形成されていることを特徴とする。
かかる構成により、アンクルおよびがんぎ歯車が停止している期間中、がんぎ歯車がアンクルに伝える力は、アンクルを反時計回りに回転させるように働くため、外部から衝撃が加わった場合に、アンクルが容易にどてから離れててんぷの振動を阻害することを防ぐことができる。
【００１４】
本発明におけるムーブメントは前記脱進機と、前記アンクルの揺動周期を調整するてんぷと、前記がんぎ歯車に動力を伝える輪列とを有することを特徴とする。
かかる構成により、精度の高いムーブメントを提供することができる。
【００１５】
本発明における時計は、前記ムーブメントと、前記脱進機と前記てんぷとを含む脱進調速機構により調速された回転速度で回転する針を有することを特徴とする。
かかる構成により、精度の高い時計を提供することができる
【発明の効果】
【００１６】
本発明の脱進機は、停止解除の期間中、がんぎ歯車の逆回転の加速度を抑制できるため、従来の脱進機にくらべてジャンプを小さくすることができ、がんぎ歯車がアンクルに与える所望のエネルギーを確保できるという利点がある。
【図面の簡単な説明】
【００１７】
【図１】本発明の第１実施形態に関する脱進機を含む全体図である。
【図２】本発明の第１実施形態における脱進機の停止解除開始時の要部拡大図である。
【図３】本発明の第１実施形態における脱進機の停止解除終了時の要部拡大図である。
【図４】本発明の第１実施形態における脱進機の空転（ジャンプ）時の要部拡大図である。
【図５】本発明の第１実施形態における脱進機の衝撃開始時の要部拡大図である。
【図６】本発明の第２実施形態における脱進機の停止解除開始時の要部拡大図である。
【図７】本発明の第２実施形態における脱進機の停止解除終了時の要部拡大図である。
【図８】（ａ）本発明の第１実施形態に関する脱進機を備えるムーブメントの図である。（ｂ）本発明の第１実施形態に関するムーブメントを備える時計の図である。
【図９】従来技術におけるアンクルとがんぎ車のトルク比線図である。
【図１０】本発明のアンクルとがんぎ車のトルク比線図である。
【図１１】従来技術における脱進機の停止期間中の要部拡大図である。
【発明を実施するための形態】
【００１８】
（第１実施形態）
本発明の第１実施形態について図１〜図５および図８、図９、図１０に基づいて説明する。最初に、図１、図２、図８に基づき、本実施形態の脱進機の構成について説明する。図１は、本実施形態の脱進機の構造図であり、図２は、がんぎ車とアンクルとの係合部分の拡大図であり、図８（ａ）は、本実施形態の脱進機を備えるムーブメントの構成図であり、図８（ｂ）は、かかるムーブメントを備える時計の図である。
【００１９】
（時計の説明）
図８（ａ）および図８（ｂ）に示すように、本実施形態の機械式時計１は、例えば腕時計であって、ムーブメント（時計用ムーブメント）１０と、このムーブメント１０を収納するケーシング２と、により構成されている。
【００２０】
（ムーブメントの説明）
このムーブメント１０は、基板を構成する地板１１を有している。この地板１１の裏側には図示しない文字板が配されている。なお、ムーブメント１０の表側に組み込まれる輪列を表輪列と称し、ムーブメント１０の裏側に組み込まれる輪列を裏輪列と称する。
【００２１】
上記地板１１には、巻真案内穴１１ａが形成されており、ここに巻真１２が回転自在に組み込まれている。この巻真１２は、おしどり１３、かんぬき１４、かんぬきばね１５及び裏押さえ１６を有する切換装置により、軸方向の位置が決められている。また、巻真１２の案内軸部には、きち車１７が回転自在に設けられている。
【００２２】
このような構成のもと、巻真１２が、回転軸方向に沿ってムーブメント１０の内側に一番近い方の第１の巻真位置（０段目）にある状態で巻真１２を回転させると、図示しないつづみ車の回転を介してきち車１７が回転する。そして、このきち車１７が回転することにより、これと噛合う丸穴車２０が回転する。そして、この丸穴車２０が回転することにより、これと噛合う角穴車２１が回転する。更に、この角穴車２１が回転することにより、香箱車２２に収容された図示しないぜんまい（動力源）を巻き上げる。
【００２３】
ムーブメント１０の表輪列は、上記香箱車２２の他に、二番車２５、三番車２６及び四番車２７により構成されており、香箱車２２の回転力を伝達する機能を果している。また、ムーブメント１０の表側には、表輪列の回転を制御するための脱進機３０及び調速機構３１が配置されている。調速機構３１は、上記脱進機を調速する機構であって、てんぷ４０を具備している。
二番車２５は、香箱車２２に噛合う歯車とされている。三番車２６は、二番車２５に噛合う歯車とされている。四番車２７は、三番車２６に噛合う歯車とされている。
【００２４】
（脱進機の説明）
図１に示すように、本実施形態における脱進機３０は、アンクル１０５の揺動周期を調整するてんぷ４０の振り座１０１と、振り座１０１に固定される振り石１０２と、振り石１０２が内部で動くことで振り石１０２からハコ内周面１０６に回転力が伝達されるアンクル１０５と、アンクル１０５に相対位置を調整可能に固定される入爪１１０および出爪１１４と、入爪１１０と出爪１１４とに断続的に係合するがんぎ歯１２３を有するがんぎ歯車１２２と、がんぎ歯車１２２とがんぎかな１２５とにより構成されるがんぎ車１２１と、アンクルのサオ１０９と係合してアンクル１０５の揺動角度を規制するどて１０３ａおよび１０３ｂとを有している。がんぎかなは、前記四番車２７と噛合っている。
【００２５】
てんぷの振り座１０１の回転軸Ｃ３と、アンクル１０５の揺動軸Ｃ１と、がんぎ歯車１２１の回転軸Ｃ２は、中心線Ｖ上に配置されている。
アンクル１０５の入爪１１０は、がんぎ歯のロッキングコーナー１２４と係合する係合面としての停止面１１１と、がんぎ歯のロッキングコーナー１２４によって衝撃を受ける衝撃面１１３と、停止面１１１と衝撃面１１３が交わる入爪のロッキングコーナー１１２を有する。
【００２６】
（動作の説明）
次に、図１から図５に基づき、本実施形態の動作について説明する。図２は、本実施形態の入爪停止面１１１ががんぎ歯のロッキングコーナー１２４に接触した状態で、アンクル１０５が揺動軸Ｃ１を中心として時計回りに回り、入爪停止面１１１ががんぎ歯のロッキングコーナー１２４を反時計回りに押し戻す動作（停止解除）が開始される瞬間の図である。図３は、停止解除が終了する瞬間の図である。図４は、入爪停止面１１１に反時計回りに押し戻されたがんぎ歯のロッキングコーナー１２４が、入爪のロッキングコーナー１１２を離れた（ジャンプ）後、香箱２２からの動力を受けて再び時計回りに回転を開始した瞬間の図である。図５はがんぎ歯のロッキングコーナー１２４がジャンプを終えて入爪の衝撃面１１３に衝突した瞬間の図である。
【００２７】
まず、図１および図２において、アンクル１０５のサオ１０９はどて１０３ａに当たって停止しており、がんぎ歯車１２２はがんぎ歯のロッキングコーナー１２４がアンクル１０５の入爪１１０の停止面１１１に係合して停止している。がんぎ歯車１２２は、香箱２２の動力が表輪列を介してがんぎかな１２５に伝えられることによって、時計回りに付勢されている。
【００２８】
次に、てんぷ４０は不図示のひげぜんまいに蓄えられたエネルギーによって、反時計回りに回転し、てんぷの振り座１０１に固定される振り石１０２は、アンクルのハコ１０６に近づいていき、やがてアンクル１０５のハコ１０６の内周面の出爪側の面１０８に衝突する。ハコの内周面の出爪側の面１０８が振り石１０２から力を受けることによって、アンクル１０５は時計回りに揺動させられ、アンクルのサオ１０９はどて１０３ａから離れる。
【００２９】
このとき、図３に示すように、アンクル１０５の揺動に伴って入爪１１０も時計回りに揺動するため、入爪１１０が一定角度揺動すると、がんぎ歯のロッキングコーナー１２４は入爪のロッキングコーナー１１２に到達する。このように、振り石１０２がハコ１０６の内周面の出爪側１０８に衝突してからがんぎ歯のロッキングコーナー１２４が入爪のロッキングコーナー１１２に到達するまでの期間を、停止解除と呼ぶ。
【００３０】
停止解除の期間中、がんぎ歯のロッキングコーナー１２４は入爪の停止面１１１から反時計回りの力を受けて、がんぎ車１２１は一定の回転速度、または、加速度が十分に低く抑えられた回転速度で反時計回りに回転する。
【００３１】
停止解除が終了し、がんぎ歯のロッキングコーナー１２４が入爪のロッキングコーナー１１２と離れる瞬間において、がんぎ歯車は反時計回りにある速度を持っているため、がんぎ車１２１は入爪１２１と離れた後も慣性により反時計回りの回転を続ける。がんぎ歯車１２２は香箱２２の動力によって時計回りに付勢されているため、がんぎ歯車１２２の逆回転の回転エネルギーはやがてゼロとなり、図４に示すようにがんぎ歯車１２２は一瞬静止し、その直後に時計回りに回転を開始する。
【００３２】
次に、図５に示すように、がんぎ歯のロッキングコーナー１２４は入爪の衝撃面１１３に衝突する。がんぎ歯のロッキングコーナー１２４が入爪のロッキングコーナー１１２と離れてから、がんぎ歯のロッキングコーナー１２４が入爪の衝撃面１１３に衝突するまでの期間、つまり、がんぎの跳躍空転を、ジャンプと呼ぶ。
【００３３】
ジャンプの期間中はアンクル１０５は振り石１０２からの力を受けて時計回りに回転し続けているため、がんぎ歯のロッキングコーナー１２４は、入爪の衝撃面１１３上の入爪のロッキングコーナー１１２からある距離だけ進角方向に離れた場所に衝突する。
【００３４】
衝突の後、がんぎ歯のロッキングコーナー１２４は、入爪の衝撃面１１３上を摺動することで、アンクル１０５に時計回りの回転力を与える。がんぎ歯１２３によって時計回りの回転力を与えられたアンクル１０５は、ハコの内周面の入爪側の面１０７が振り石１０２に係合することでてんぷに反時計回りの回転力を与える。
【００３５】
（入爪の停止面の形状の説明）
次に、図１から図３に基づいて本実施形態の入爪の停止面１１１の形状について説明する。ここでは、アンクルの揺動軸Ｃ１を原点とし、中心線ＶをＹ軸、アンクルの揺動軸Ｃ１を通り中心線Ｖに直交する水平線ＨをＸ軸とする座標系を考える。
【００３６】
図２の停止解除の開始時において、入爪の停止面１１１上のがんぎ歯のロッキングコーナー１２４と係合している点を停止点１とし、その座標を(ｘ１,ｙ１)とする。また、停止点１から入爪の停止面１１１に法線１１５を引き、そこから摩擦角λだけ偏角した直線１１６が中心線Ｖと交わる点をＴとし、その座標を (０,ａ)とする。また、がんぎ車１２１の回転中心の座標を(０,ｂ)とし、がんぎ歯のロッキングコーナー１２４の回転軸Ｃ２からの回転半径をＲとする。なお、直線１１６の停止点１から交点Ｔに向かう方向ががんぎ歯から入爪へのトルク伝達方向となる。停止解除が開始されて、アンクル１０５が時計回りにΔθだけ回転したとする。このとき、停止点１(ｘ１,ｙ１)もΔθだけ回転して、(ｘ１',ｙ１')に移動する。この時点におけるがんぎ歯のロッキングコーナー１２４と入爪停止面１１１の係合点を停止点２とし、その座標を(ｘ２,ｙ２)とする。さて、Δθが微小であった場合、停止点２から停止面１１１に引いた法線の傾きは、(ｘ１',ｙ１')と(ｘ２,ｙ２)を結んだ直線に直角な直線の傾きとほぼ等しいとみなすことができる。本実施形態では、この停止点２における法線から摩擦角λだけ偏角した直線がＴを通る。この場合次式（１)が成り立つ。
【００３７】
【数１】
2014202604.tif 000003
【００３８】
また、停止点２(ｘ２,ｙ２)はがんぎ車のロッキングコーナー１２４の描く円周上にあるから、次式（２）が成り立つ。
【００３９】
【数２】
2014202604.tif 000004
【００４０】
これらの式をニュートン法で解くことによって、停止点２ (ｘ２,ｙ２)が求まる。
【００４１】
次に、再びアンクルがΔθだけ回転したとする。このとき、停止点２(ｘ２,ｙ２)もΔθだけ回転して、(ｘ２',ｙ２')に移動する。この時点における入爪停止面１１１上のがんぎ歯のロッキングコーナー１２４との係合点を停止点３とし、その座標を(ｘ３,ｙ３)とすると、(ｘ３,ｙ３)も同様にして求めることができる。Δθを限りなくゼロに近づけてこの計算を繰り返すことで、(ｘｎ，ｙｎ)が連続した曲線が形成され、このような曲線を有する曲面として停止面１１１の形状が形成されている。
【００４２】
このように、本実施形態においては、がんぎ歯のロッキングコーナー１２４が入爪の停止面１１１にトルクを伝えるトルク伝達方向がアンクルの揺動軸Ｃ１とがんぎ車１２１の回転軸Ｃ２を通る直線Ｖと交わる交点Ｔが、停止解除の期間中において一定となるように、入爪の停止面１１１が形成されている。
【００４３】
また、交点Ｔが、がんぎ車の停止解除期間中に、がんぎ車の回転角度にかかわらず、回転軸Ｃ２と揺動軸Ｃ１とを結ぶ線分内に位置しているように、入爪の停止面１１１は形成されている。
なお、本実施形態においては、がんぎが鉄を材料とし、入爪はアルミナにより構成される人工ルビーを材料としている。
【００４４】
（作用効果の説明）
以上のような停止面１１１の形状を有する入爪１１０により、本実施形態は、以下のような作用効果を有している。
すなわち、停止解除の期間中に、上述の交点Ｔの位置が変動しないこと、および停止解除期間中のアンクルの揺動速度はてんぷの回動中心付近における力の伝達を受けてアンクルが動作しておりほぼ一定とみなすことができることから、がんぎ車の逆回転加速度が抑制され、停止解除の終了時におけるがんぎ車１２１の逆回転速度が抑えられる。よって、停止解除後のがんぎ車１２１（がんぎ歯１２３）のジャンプが抑えられる。その結果、トルクの伝わらない空転区間を小さくすることができるので、がんぎ車１２１からアンクル１０５に伝わるエネルギーの損失を抑制することができる。
ここで、上述のように交点Ｔが停止解除期間中に変動しないということは、アンクル１０５とがんぎ車１２１のトルク比が停止解除の期間中一定ということになる。
【００４５】
このトルク比に注目すると以下となる。まず、がんぎ歯のロッキングコーナー１２４から、入爪停止面１１１への力の伝達方向を考える。静的に見た場合、がんぎ歯のロッキングコーナー１２４から、入爪停止面１１１への力の伝達方向は、がんぎ歯のロッキングコーナー１２４から入爪停止面１１１に対して引いた法線１１５の方向であるが、本実施形態では、停止解除期間におけるがんぎ歯のロッキングコーナー１２４と入爪停止面１１１との間の摩擦を考慮し、停止解除期間中のがんぎ歯のロッキングコーナー１２４から入爪停止面１１１への力の伝達方向１１６は、この法線１１５から摩擦角λだけがんぎ車１２１の回転中心Ｃ２の方向に偏角した方向となる。ここで、力の伝達方向１１６と中心線Ｖの交点を交点Ｔとすると、アンクル１０５とがんぎ車１２１のトルクの比は、揺動軸Ｃ１から交点Ｔまでの距離と、回転軸Ｃ２から交点Ｔまでの距離の比と等しい。図２および図３に示すように、本実施形態においては、入爪停止面１１１は、停止解除中のどの時点においても、交点Ｔが停止解除開始時の位置から移動しないように形成されている。このように構成することによって、本実施形態においては停止解除の期間中がんぎ車１２１は一定速度、または、加速度が十分抑えられた状態で逆回転するため、がんぎ歯のロッキングコーナー１２４が入爪のロッキングコーナー１１２と離れる瞬間のがんぎ車１２１の逆回転速度は小さくなる。よって、ジャンプの時間が短くなる。したがって、がんぎ歯のロッキングコーナー１２４はより短時間で入爪の衝撃面１１３に到達するため、より長い時間においてアンクル１０５に回転力を与えることができる。
【００４６】
なお、がんぎ車１２１が逆転しないようにすればジャンプは最も小さくなるが、安全作用を確保するためにがんぎ車１２１の逆転を微かに許容するように、入爪停止面１１１を形成している。以下にその作用を述べる。
【００４７】
アンクルのサオ１０９がどて１０３ａに係合して停止している期間中に、外部から衝撃が加わってアンクル１０５がどて１０３ａから離れると、アンクル１０５は振り座１０１に接触しててんぷ４０の振動周期を乱し、時計の精度は低下する。これを防ぐため、アンクルのサオ１０９をどて１０３ａに引き付けておくために、がんぎ歯のロッキングコーナー１２４から入爪停止面１１１への力の伝達方向は、アンクルの揺動軸Ｃ１とがんぎ車の回転軸Ｃ２の間を通る必要がある。つまり、交点Ｔが、がんぎ車の停止解除期間中に、がんぎ車の回転角度にかかわらず、回転軸Ｃ２と揺動軸Ｃ１とを結ぶ線分内に位置しているように、入爪の停止面１１１は形成されている。このように構成することによって、がんぎ歯のロッキングコーナーからの力の伝達方向は、アンクル１０５に反時計回りのトルクを与えるため、アンクルのサオ１０９はどて１０３ａに押し付けられる。交点Ｔは中心線Ｖ上のうち、アンクルの揺動軸Ｃ１とがんぎ車の回転軸Ｃ２の間に位置する。もし交点Ｔがアンクルの揺動軸Ｃ１と一致していたとすると、トルク比はゼロとなり、アンクルを揺動させてもがんぎ車は逆回転しない。しかし、安全作用として交点Ｔはアンクルの揺動軸Ｃ１とがんぎ車の回転軸Ｃ２の間に位置している必要があるため、アンクル１０５とがんぎ車１２１には上述のようにトルク比が発生し、アンクル１０５が時計回りに揺動するとがんぎ車１２１は反時計回りに逆回転する。
【００４８】
ここで、図９は、従来の入爪におけるアンクルとがんぎ歯車のトルク比線図であり、横軸はアンクルの揺動角度、縦軸はアンクルのトルクをがんぎ歯車のトルクで割った値である。θ１は停止解除の開始時点を表し、θ２は停止解除の終了時点を表す。θ３は衝撃の開始時点を表す。θ２とθ３の間のΔθ１は、ジャンプによってトルクが伝わらない区間である。縦軸のトルク比は、がんぎ歯車からアンクルにトルクが伝わる場合をプラス、アンクルからがんぎ歯車にトルクが伝わる場合をマイナスとしている。停止解除の間、アンクル/がんぎ歯車のトルク比がマイナス方向に増加していく。このとき、がんぎ歯車のトルクは一定であるので、がんぎ歯車を逆回転させるのに必要なアンクルのトルクが停止解除の区間中に増加していくことを示す。アンクルの揺動速度はほぼ一定であるため、がんぎ歯車の逆回転速度は増加していく。
【００４９】
これに対して、図１０は、本実施形態の入爪１１０におけるアンクル１０５とがんぎ車１２１のトルク比線図である。θ４は停止解除の開始時点を表し、θ５は停止解除の終了時点を表す。θ６は衝撃の開始時点を表す。θ５とθ６の間のΔθ２は、ジャンプによってトルクが伝わらない区間である。
【００５０】
図１０に示すように、本実施形態では、停止解除の区間中、がんぎ車１２１を逆回転させるのに必要なアンクル１０５のトルクは増加しない、または、その増加が抑えられるため、停止解除の期間中にがんぎ車１２１が逆回転する速度は増加しない。よって、停止解除終了時のがんぎ車１２１の逆回転速度は従来例に対して小さくなるため、ジャンプの時間も従来例に比べて短くなり、Δθ２はΔθ１よりも小さくなる。よって、本実施形態においてはがんぎ車１２１からアンクル１０５に衝撃が伝わる時点が従来例よりも早まる。なお、グラフの斜線部分Iは、従来例に対してがんぎ車１２１からアンクル１０５にトルクが伝わっている区間が増加した部分を示している。
【００５１】
このように、停止解除の期間中に、上述の交点Ｔの位置が変動しないことで、停止解除の終了時におけるがんぎ車１２１の逆回転速度が抑えられ、停止解除後のがんぎ車１２１のジャンプが抑えられ、トルクの伝わらない空転区間を小さくすることができる。よって、がんぎ車１２１からアンクル１０５に伝わるエネルギーの損失を抑制することができる。
【００５２】
（第２実施形態）
次に、本発明の第２実施形態について図６〜図７に基づいて説明する。本実施形態の第１実施形態との違いは、がんぎ歯のロッキングコーナーと入爪停止面の間の摩擦が微小であり、がんぎ歯のロッキングコーナーから入爪停止面への力の伝達方向が、がんぎ歯のロッキングコーナーから入爪停止面へ引いた法線とほぼ一致する点である。
【００５３】
（入爪の停止面の形状の説明）
まず、図６から図７に基づいて本実施形態の停止面２１１の形状について説明する。ここでは、アンクルの揺動軸Ｃ１を原点とし、中心線ＶをＹ軸、アンクルの揺動軸Ｃ１を通り中心線Ｖに直交する水平線ＨをＸ軸とする座標系を考える。
【００５４】
停止解除開始時において、入爪停止面１１１上のがんぎ歯のロッキングコーナー１２４が係合している点を停止点１とし、その座標を(ｘ１,ｙ１)とする。また、停止点１から入爪の停止面１１１に法線１１５を引き、法線１１５が中心線Ｖと交わる点をＴとし、その座標を (０,ａ)とする。また、がんぎ歯車の回転中心の座標を(０,ｂ)とし、がんぎ歯のロッキングコーナー１２４の回転半径をＲとする。
【００５５】
今、停止解除が開始されて、アンクルがΔθだけ回転したとする。このとき、停止点１(ｘ１,ｙ１)もΔθだけ回転して、(ｘ１',ｙ１')に移動する。この時点におけるがんぎ歯車の歯先と入爪停止面の係合点を停止点２とし、その座標を(ｘ２,ｙ２)とする。Δθが微小であった場合、停止点２における停止面の法線の傾きは、(ｘ１',ｙ１')と(ｘ２,ｙ２)を結んだ直線に直角な直線の傾きとほぼ等しいとみなすことができる。よって次式（３）が成り立つ。
【００５６】
【数３】
2014202604.tif 000005
【００５７】
また、停止点２(ｘ２,ｙ２)はがんぎ車のロッキングコーナー１２４の描く円周上にあるから、次式（２）が成り立つ。
【００５８】
【数２】
2014202604.tif 000006
【００５９】
これらの式を連立方程式として解くことによって、(ｘ２,ｙ２)が求まる。
【００６０】
次に、再びアンクルがΔθだけ回転したとする。このとき、停止点１(ｘ２,ｙ２)もΔθだけ回転して、(ｘ２',ｙ２')に移動する。この時点におけるがんぎ歯車の歯先と入爪停止面の係合点を停止点３とし、その座標を(ｘ３,ｙ３)とすると、(ｘ３,ｙ３)も前記の式と同様にして求めることができる。Δθを限りなくゼロに近づけてこの計算を繰り返せば、停止面の形状を求めることができる。
【００６１】
このように、本実施形態においては、がんぎ歯のロッキングコーナー２２４が入爪の停止面２１１にトルクを伝えるトルク伝達方向がアンクルの揺動軸Ｃ１とがんぎ車１２１の回転軸Ｃ２を通る直線Ｖと交わる交点Ｔが、停止解除の期間中において一定となるように、入爪の停止面２１１が形成されている。
【００６２】
また、交点Ｔが、がんぎ車の停止解除期間中に、がんぎ車の回転角度にかかわらず、回転軸Ｃ２と揺動軸Ｃ１とを結ぶ線分内に位置しているように、入爪の停止面１１１は形成されている。
なお、本実施形態においては、がんぎおよび入爪を、シリコン、ジルコニア、炭化ケイ素、窒化ケイ素から適宜選択する構成としている。
【００６３】
（作用効果の説明）
以上のような停止面２１１の形状を有する入爪２１０により、本実施形態は、以下のような作用効果を有している。なお、以下に説明しない点については、上述の実施形態と同様である。
【００６４】
すなわち、停止解除の期間中に、上述の交点Ｔの位置が変動しないことで、停止解除の終了時におけるがんぎ車２２１の逆回転速度が抑えられる。よって、停止解除後のがんぎ車２２１（がんぎ歯２２３）のジャンプが抑えられる。その結果、トルクの伝わらない空転区間を小さくすることができるので、がんぎ車２２１からアンクル２０５に伝わるエネルギーの損失を抑制することができる。
ここで、上述の交点Ｔが停止解除期間中に変動しないということは、アンクル２０５とがんぎ車２２１のトルク比が停止解除の期間中一定ということになる。
【００６５】
このトルク比に注目すると以下となる。まず、がんぎ歯のロッキングコーナー１２４から、入爪停止面２１１への力の伝達方向を考える。がんぎ歯のロッキングコーナー２２４から、入爪停止面２１１への力の伝達方向は、がんぎ歯のロッキングコーナー２２４から入爪停止面２１１に対して引いた法線２１５の方向とほぼ一致する。力の伝達方向２１６と中心線Ｖの交点を交点Ｔとすると、アンクル２０５とがんぎ車２２１のトルクの比は、揺動軸Ｃ１から交点Ｔまでの距離と、回転軸Ｃ２から交点Ｔまでの距離の比と等しい。
【００６６】
図６および図７に示すように、本実施形態においては、入爪停止面２１１は、停止解除中のどの時点においても、交点Ｔが停止解除開始時の位置から移動しないように成形されている。このように構成することによって、本実施形態においては停止解除の期間中がんぎ車２２１は一定速度、または、加速度が十分抑えられた状態で逆回転するため、がんぎ歯のロッキングコーナー２２４が入爪のロッキングコーナー２１２と離れる瞬間のがんぎ車２２１の逆回転速度は小さくなる。
【００６７】
よって、本実施形態においてはジャンプの時間が短くなる。がんぎ歯のロッキングコーナー２２４はより短時間で入爪の衝撃面２１３に到達するため、より長い時間アンクル２０５に回転力を与えることができる。
【００６８】
なお、上述の各実施形態の入爪の停止面の形状を金属顕微鏡や２．５次元測定機で測定し、測定した座標から、がんぎ歯から入爪の停止面に力が伝わる方向と、アンクルの揺動軸とがんぎ車の回転軸を結ぶ中心線との交点Ｔを求め、交点Ｔの位置が停止解除の期間中に動かない、または従来技術に比べて交点Ｔの移動が抑制されていることで本実施形態の入爪の形状を確認することもできる。
【産業上の利用可能性】
【００６９】
本発明によれば、スイスレバー脱進機を使用しているあらゆる機械式時計において、脱進機のエネルギー伝達効率を向上させることができ、より精度の高い機械式時計を提供することができる。
【符号の説明】
【００７０】
１      時計
１０    ムーブメント
３０    脱進機
４０    てんぷ
１０５  アンクル
１１０  入爪
１１１  停止面（係合面）
１２１  がんぎ車
１２２  がんぎ歯車
１１５  法線
１１６  直線（トルク伝達方向）
Ｃ１    アンクル揺動軸（揺動軸）
Ｃ２    がんぎ車回転軸（回転軸）
Ｖ    中心線（回転軸と揺動軸とを通る直線）
λ    摩擦角
Ｔ    回転軸と揺動軸とを通る直線とトルク伝達方向との交点(交点)
【図１】
2014202604.tif 000007
【図２】
2014202604.tif 000008
【図３】
2014202604.tif 000009
【図４】
2014202604.tif 000010
【図５】
2014202604.tif 000011
【図６】
2014202604.tif 000012
【図７】
2014202604.tif 000013
【図８】
2014202604.tif 000014
【図９】
2014202604.tif 000015
【図１０】
2014202604.tif 000016
【図１１】
2014202604.tif 000017